【手続補正書】
【提出日】平成20年12月12日(2008.12.12)
【手続補正１】
【補正対象書類名】特許請求の範囲
【補正対象項目名】全文
【補正方法】変更
【補正の内容】
【特許請求の範囲】
【請求項１】
多数の静止画を撮像する撮像手段と、
前記撮像手段によって撮像された多数の静止画を記録保存する記録手段と、
生成される静止画像のレイアウトの情報を複数記憶するレイアウト情報記憶手段と、
前記記録手段に記憶されている多数の静止画を再生する再生手段と、
前記再生手段によって再生される多数の静止画を表示する表示制御手段と、
前記表示制御手段によって表示される多数の静止画から中心画像を選択する画像選択手段と、
前記レイアウト情報記憶手段に記憶されている複数のレイアウトの中から静止画生成に用いるレイアウトを選択するレイアウト選択手段と、
前記画像選択手段によって選択された中心画像と該中心画像に前後して撮像された静止画像を前記レイアウト選択手段によって選択されたレイアウトに基づいて配置した静止画像の画像データを生成する静止画生成手段と、
前記静止画生成手段によって生成された画像データを出力する出力手段と、
を備えたことを特徴とするカメラ。
【請求項２】
前記中心画像に前後して撮像された静止画像は、該同一日付若しくは同一時間帯に撮像された静止画像であることを特徴とする請求項１に記載のカメラ。
【請求項３】
動画を記録した画像記録手段と、
動画から生成して得る静止画のレイアウトの情報を複数記憶するレイアウト情報記憶手段と、
前記レイアウト情報記憶手段に記憶されている複数のレイアウトの中から静止画生成に用いるレイアウトを選択するレイアウト選択手段と、
前記画像記憶手段に記憶されている動画を再生する画像再生手段と、
前記画像再生手段によって再生される動画を表示する画像表示制御手段と、
前記画像表示制御手段によって表示される動画の中から静止画生成に用いる画像の中心画像を選択する画像選択手段と、
前記画像選択手段によって選択された中心画像と該中心画像に前後して撮影された動画から前記レイアウト選択手段によって選択されたレイアウトに基づいて配置される静止画の画像データを生成する静止画生成手段と、
前記静止画生成手段によって生成された画像データを出力する出力手段と、
を備えたことを特徴とする画像処理装置。
【請求項４】
更に、前記画像選択手段によって選択された中心画像に前後して撮影された画像の数を設定する画像数設定手段
を備え、
前記レイアウト選択手段は、前記画像数設定手段によって設定された画像数を基に前記レイアウト情報記憶手段に記憶されている複数のレイアウトの中から静止画生成に用いるレイアウトを自動選択すること、
を特徴とする請求項３に記載の画像処理装置。
【請求項５】
前記静止画生成手段は、前記選択された中心画像に前後して撮影された複数の動画を所定サイズに縮小する手段と、前記中心画像と前記画像縮小手段によって縮小された複数の画像を前記レイアウト選択手段によって選択されたレイアウトに基づいて配置した静止画の画像データを生成する手段とを有する、ことを特徴とする請求項３に記載の画像処理装置。
【請求項６】
更に、前記画像選択手段によって選択された中心画像に前後して撮影された動画像の数を設定する画像数設定手段と、
前記画像選択手段によって選択された中心画像に含まれる被写体画像の輪郭を抽出する輪郭抽出手段と、
前記輪郭抽出手段によって取得された輪郭外において、前記画像数設定手段によって設定された数の縮小画像表示範囲を取得する縮小画像表示範囲取得手段と、
を備え、
前記静止画生成手段は、前記輪郭画像選択手段によって選択された中心画像に対して該中心画像に前後して撮影された画像を前記縮小画像表示範囲取得手段によって取得された縮小画像表示範囲に配置した静止画像の画像データを生成する、
ことを特徴とする請求項３に記載の画像処理装置。
【請求項７】
更に、前記小画像表示範囲取得手段によって取得された縮小画像表示範囲を変更する手段を備えたことを特徴とする請求項６に記載の画像処理装置。
【請求項８】
複数の画像を所定のレイアウトで静止画化して出力する静止画生成方法であって、
メモリに記憶されている動画を再生して表示する工程と、
表示された動画の中から所望の動画像を選択する工程と、
前記選択された中心画像と該中心画像に前後して撮影された動画像を前記選択されたレイアウトに基づいて配置した静止画像の画像データを生成する工程と、
前記生成された画像データを出力する工程と、
を備えたことを特徴とする静止画生成方法。
【請求項９】
画像記録メモリと生成される静止画像のレイアウト情報を複数記憶するレイアウト情報記録メモリを備えたカメラのコンピュータに、
動画を撮像する機能と、
撮像された動画を前記記録メモリに記録保存する機能と、
前記記録メモリに記憶されている動画を再生する機能と、
再生された動画を表示する機能と、
表示される複数の動画像の中から中心画像を選択する機能と、
前記レイアウト情報記憶メモリに記憶されている複数のレイアウトの中から静止画生成に用いるレイアウトを選択する機能と、
前記選択された中心画像と該中心画像に前後して撮影された動画像を前記レ選択されたレイアウトに基づいて配置した静止画像の画像データを生成する機能と、
生成された画像データを出力する機能と、
を実行させるプログラム。
【請求項１０】
請求項８に記載の静止画生成方法の各ステップをコンピュータに実行させるためのプログラムを記憶したことを特徴とするコンピュータ読み取り可能な記憶媒体。
【請求項１１】
請求項９に記載のプログラムを記憶したことを特徴とするコンピュータ読み取り可能な記憶媒体。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】変更
【補正の内容】
【００１０】
上記課題を解決するために、請求項１に記載の発明では、多数の静止画を撮像する撮像手段と、撮像手段によって撮像された多数の静止画を記録保存する記録手段と、生成される静止画像のレイアウトの情報を複数記憶するレイアウト情報記憶手段と、記録手段に記憶されている多数の静止画を再生する再生手段と、再生手段によって再生される多数の静止画を表示する表示制御手段と、表示制御手段によって表示される多数の静止画から中心画像を選択する画像選択手段と、レイアウト情報記憶手段に記憶されている複数のレイアウトの中から静止画生成に用いるレイアウトを選択するレイアウト選択手段と、画像選択手段によって選択された中心画像と該中心画像に前後して撮像された静止画像をレイアウト選択手段によって選択されたレイアウトに基づいて配置した静止画像の画像データを生成する静止画生成手段と、静止画生成手段によって生成された画像データを出力する出力手段と、を備えたことを特徴とするカメラを提供する。 
これにより、撮像した多数の静止画からユーザが所望する静止画像を中心とした所定のレイアウトの静止画を生成できる。つまり、選択した静止画像と、その静止画像に前後して撮影された静止画像を自動的に選択されたレイアウトで静止画像化して取得できるので、選択した静止画像とそれに前後する静止画像との関連がわかり、再生時に、静止画像のうちユーザが注目した静止画像を中心とした前後の複数の画像から共通して受ける感覚や事象を簡単に把握できる。また、撮影中にユーザが注目したシーンが幾つあってもそれぞれの注目画像について静止画化を行うことができる。
【手続補正４】
【補正対象書類名】明細書
【補正対象項目名】００１１
【補正方法】変更
【補正の内容】
【００１１】
また、請求項２に記載の発明では、中心画像に前後して撮像された静止画像は、該同一日付若しくは同一時間帯に撮像された静止画像であることを特徴とする請求項１記載のカメラを提供する。 
これにより、同一日付若しくは同一時間帯に撮像された複数の静止画像のうち、ユーザが所望する中心画像を中心とした所定のレイアウトの静止画を生成できる。つまり、所定のレイアウトに中心画像と、同一日付若しくは同一時間帯において、その中心画像に前後して撮影された画像を所定のレイアウトで一画像として表示できるので、中心画像とそれに時間的に前後する画像との関連がよくわかり、ユーザが注目した画像を中心とした複数の画像から共通して受ける感覚や事象を簡単に把握できる。
【手続補正５】
【補正対象書類名】明細書
【補正対象項目名】００１２
【補正方法】変更
【補正の内容】
【００１２】
また、請求項３に記載の発明では、動画を記録した画像記録手段と、動画から生成して得る静止画のレイアウト情報を複数記憶するレイアウト情報記憶手段と、レイアウト情報記憶手段に記憶されている複数のレイアウトの中から静止画生成に用いるレイアウトを選択するレイアウト選択手段と、画像記憶手段に記憶されている動画を再生する画像再生手段と、画像再生手段によって再生される動画を表示する画像表示制御手段と、画像表示制御手段によって表示される動画の中から静止画生成に用いる画像の中心画像を選択する画像選択手段と、画像選択手段によって選択された中心画像と該中心画像に前後して撮影された動画をレイアウト選択手段によって選択されたレイアウトに基づいて配置される静止画の画像データを生成する静止画生成手段と、静止画生成手段によって生成された画像データを出力する出力手段と、を備えたことを特徴とする画像処理装置を提供する。 
これにより、動画からユーザが所望する動画像を選択するだけでその動画像と前後する動画像を自動的に選択されたレイアウトに基づいて配置した静止画を自動的に生成できる。つまり、選択した画像（中心画像）と、その画像に前後して撮影された画像を選択されたレイアウトで静止画像化できるので、選択された画像とそれに前後する画像との関連がわかり、動画の中でユーザが注目した画像を中心とした前後の画像から共通して受ける感覚や事象を簡単に把握できる。また、動画の中でユーザが注目した画像や共感したシーンが幾つあってもそれぞれの注目画像について静止画化を行うことができる。
【手続補正６】
【補正対象書類名】明細書
【補正対象項目名】００１３
【補正方法】変更
【補正の内容】
【００１３】
また、請求項４に記載の発明では、更に、画像選択手段によって選択された中心画像に前後して撮影された画像の数を設定する画像数設定手段を備え、レイアウト選択手段は、画像数設定手段によって設定された画像数を基にレイアウト情報記憶手段に記憶されている複数のレイアウトの中から静止画生成に用いるレイアウトを自動選択すること、を特徴とする請求項３に記載の画像処理装置を提供する。 
これにより、予め中心画像の周りに配置する画像の数を設定しておけば、ユーザが所望する画像を選択するだけでその画像と前後する設定数分の画像を自動的に選択されたレイアウトに基づいて配置した静止画を自動的に生成できるので、ユーザがレイアウトを指定する手間がかからない。
【手続補正７】
【補正対象書類名】明細書
【補正対象項目名】００１４
【補正方法】変更
【補正の内容】
【００１４】
また、請求項５に記載の発明では、静止画生成手段は、選択された中心画像に前後して撮影された複数の動画を所定サイズに縮小する手段と、中心画像と画像縮小手段によって縮小された複数の画像をレイアウト選択手段によって選択されたレイアウトに基づいて配置した静止画の画像データを生成する手段とを有する、ことを特徴とする請求項３に記載の画像処理装置を提供する。 
これにより、ユーザが選択した動画像を中心とした所定サイズのレイアウトの静止画を生成できる。つまり、選択した動画像と、その動画像に前後して撮影された画像を所定サイズに縮小して静止画像化できるので、選択された画像とそれに時間的に前後する画像との関連がわかりやすく、動画や同一時間帯に撮影された静止画のうちユーザが注目した画像を中心とした複数の画像から共通して受ける感覚や事象を簡単に把握できる。
【手続補正８】
【補正対象書類名】明細書
【補正対象項目名】００１５
【補正方法】変更
【補正の内容】
【００１５】
また、請求項６に記載の発明では、更に、画像選択手段によって選択された中心画像に前後して撮影された動画像の数を設定する画像数設定手段と、画像選択手段によって選択された中心画像に含まれる被写体画像の輪郭を抽出する輪郭抽出手段と、輪郭抽出手段によって取得された輪郭外において、画像数設定手段によって設定された数の縮小画像表示範囲を取得する縮小画像表示範囲取得手段と、を備え、静止画生成手段は、輪郭画像選択手段によって選択された中心画像に対して該中心画像に前後して撮影された画像を縮小画像表示範囲取得手段によって取得された縮小画像表示範囲に配置した静止画像の画像データを生成する、ことを特徴とする請求項３に記載の画像処理装置を提供する。 
これにより、選択された画像のうち被写体部分を除く部分に前後して撮影された画像を縮小して配置した静止画を生成できる。つまり、合成される各縮小画像のサイズをできるだけ大きくできるので縮小画像が見易く、被写体とそれに前後して撮影された画像との関連がわかり易い。
【手続補正９】
【補正対象書類名】明細書
【補正対象項目名】００１６
【補正方法】変更
【補正の内容】
【００１６】
また、請求項７に記載の発明では、更に、小画像表示範囲取得手段によって取得された縮小画像表示範囲を変更する手段を備えたことを特徴とする請求項６に記載の画像処理装置を提供する。 
これにより、小画像のサイズや数を変更できるので、選択した画像とバランスの取れたレイアウトで縮小画像を配置できるので、見栄えのよい静止画像を得ることができる。
【手続補正１０】
【補正対象書類名】明細書
【補正対象項目名】００１７
【補正方法】変更
【補正の内容】
【００１７】
また、請求項８に記載の発明では、複数の画像を所定のレイアウトで静止画化して出力する静止画生成方法であって、メモリに記憶されている動画を再生して表示する工程と、表示された動画の中から所望の動画像を選択する工程と、選択された中心画像と該中心画像に前後して撮影された動画像を選択されたレイアウトに基づいて配置した静止画像の画像データを生成する工程と、生成された画像データを出力する工程と、を備えたことを特徴とする静止画生成方法を提供する。 
これにより、動画からユーザが選択した画像を中心としたレイアウトの静止画を生成できる。つまり、選択した動画像と、その画像に前後して撮影された画像を自動的に選択されるレイアウトで一つの静止画像として生成できるので、選択された画像とそれに前後する画像との関連がわかり、動画や同一時間帯に撮影された静止画のうちユーザが注目した画像を中心とした複数の画像から共通して受ける感覚や事象を簡単に把握できる。
【手続補正１１】
【補正対象書類名】明細書
【補正対象項目名】００１８
【補正方法】変更
【補正の内容】
【００１８】
また、請求項９に記載の発明では、画像記録メモリと生成される静止画像のレイアウト情報を複数記憶するレイアウト情報記録メモリを備えたカメラのコンピュータに、動画を撮像する機能と、撮像された動画を記録メモリに記録保存する機能と、記録メモリに記憶されている動画を再生する機能と、再生された動画を表示する機能と、表示される複数の動画像の中から中心画像を選択する機能と、レイアウト情報記憶メモリに記憶されている複数のレイアウトの中から静止画生成に用いるレイアウトを選択する機能と、選択された中心画像と該中心画像に前後して撮影された動画像をレ選択されたレイアウトに基づいて配置した静止画像の画像データを生成する機能と、生成された画像データを出力する機能と、を実行させるプログラムを提供する。 
これにより、カメラは、撮影した動画のなかでユーザが選択した動画像を中心とした静止画を生成できる。つまり、選択した動画像とその動画像に前後して撮影された動画像を自動選択されたレイアウトで静止画化して取得できるので、選択した画像とそれに前後する画像との関連がわかり、注目した画像を含む一連の画像から共通して受ける感覚や事象を簡単に把握できる。また、ユーザは動画再生中に注目した動画像を中心とした静止画を注目した分だけ生成することができる。
【手続補正１２】
【補正対象書類名】明細書
【補正対象項目名】００１９
【補正方法】変更
【補正の内容】
【００１９】
また、請求項１０に記載の発明では、請求項８に記載の静止画生成方法の各ステップをコンピュータに実行させるためのプログラムを記憶したことを特徴とするコンピュータ読み取り可能な記憶媒体を提供する。 
これにより、この記憶媒体に格納されたプログラムを実行することにより、画像処理装置は、ユーザが選択した画像を中心としたレイアウトの静止画を生成できる。つまり、選択した画像と、その画像に時間的に前後して撮影された画像を所定のレイアウトで一つの静止画像として生成できるので、選択した画像とそれに前後する画像との関連がわかり易い。
【手続補正１３】
【補正対象書類名】明細書
【補正対象項目名】００２０
【補正方法】変更
【補正の内容】
【００２０】
また、請求項１１に記載の発明では、請求項９に記載のプログラムを記憶したことを特徴とするコンピュータ読み取り可能な記憶媒体を提供する。 
これにより、この記憶媒体に格納されたプログラムを実行することにより、画像処理装置は、ユーザが選択した画像を中心としたレイアウトの静止画を生成できる。つまり、選択した画像と、その画像に時間的に前後して撮影された画像を所定のレイアウトで一つの静止画像として生成できるので、選択した画像とそれに前後する画像との関連がわかり易い。